(57)【特許請求の範囲】
【請求項１】
少なくとも１台以上の子機とその親機から成るコードレス電話装置と、無線ＬＡＮを介して前記親機と無線接続する無線ＩＰ端末と、から成るコードレス電話システムにおいて、前記親機を介して前記子機へ画像データまたは音楽データを含む子機転送データを送信する無線ＩＰ端末であって、
前記親機との間でパケットデータを送受信する無線ＬＡＮインタフェース部と、
記憶部に記憶されたデータの中から前記子機に転送する子機転送データを選択する子機転送データ選択部と、
前記子機転送データの転送先となる少なくとも１台の子機を選択する転送先子機選択部と、
前記子機転送データを、前記子機転送データ選択部にて選択した前記子機転送データのデータ種別に応じて、前記転送先子機で利用可能なデータフォーマットに変換する子機転送データ変換部と、
前記子機転送データ変換部で変換された子機転送データを、前記転送先子機選択部で選択された子機の番号を示す転送先子機情報を含むように編集し、前記親機に送信することによって、前記親機に前記子機転送データの前記子機への転送を指示する子機データ送信部と、
を具備する無線ＩＰ端末。
【請求項２】
前記子機転送データ変換部は、
前記子機転送データが着信音データを含む場合、前記着信音データの音声フォーマットを前記転送先子機の使用ＣＯＤＥＣで再生可能なように変換する、
請求項１に記載の無線ＩＰ端末。
【請求項３】
前記子機転送データ変換部は、
前記子機転送データが壁紙データを含む場合、前記壁紙データを前記転送先子機の画像サイズにリサイズする、
請求項１または請求項２に記載の無線ＩＰ端末。
【請求項４】
前記子機転送データ変換部は、
前記子機転送データが電話帳データの場合、前記電話帳データの画像データ部を前記転送先子機で利用可能な画像サイズにリサイズする、
請求項１から３の何れか一つに記載の無線ＩＰ端末。
【発明の詳細な説明】
【技術分野】
【０００１】
本発明は、無線ＬＡＮ通信部を備えたコードレス電話装置と無線接続する無線ＩＰ端末に関する。
【背景技術】
【０００２】
昨今、携帯電話網に接続する携帯電話機（いわゆる、スマートホンを含む）に無線ＬＡＮ通信部（ＩＥＥＥ．８０２．１１規格のＷｉ−Ｆｉ（登録商標）機能）を設け、この携帯電話機を用いて、家庭やオフィス（以下、「宅内」という）の無線ＬＡＮ環境下でインターネットに接続し、ＷｅｂブラウジングやＩＰ電話等の様々なインターネットサービスが利用可能となっている。
【０００３】
また、携帯電話機と、家庭で使用されるコードレス電話子機（コードレスハンドセット）等の他の電話機とを無線接続し、携帯電話機に保持されている各種データ（電話帳データ、壁紙データ、着信音データ等）を他の電話機に転送する技術が、例えば、特許文献１、２に開示されている。なお、着信音データは、保留音、留守番電話のガイダンスメッセージ等、コードレス電話子機で使用する音源データであれば良い。
【０００４】
特許文献１には、電話機に外部保存装置（携帯電話機等）とカップリングして外部保存装置から音声ファイルを読み込み、着信音を自由に変更できる電話機が記載されている。
【０００５】
また、特許文献２には、携帯電話機と内線電話機（または一般加入電話機）とを接続して相互間で電話帳データを転送することができる電話帳データ転送ステムが記載されている。
【先行技術文献】
【特許文献】
【０００６】
【特許文献１】実用新案登録第３１１６７５０号公報
【特許文献２】特開２００３−１０１６３２号公報
【発明の概要】
【発明が解決しようとする課題】
【０００７】
しかしながら、特許文献１に記載のコードレス電話システムでは、電話機に外部保存装置とカップリングするＨＤＣ（ホストデバイスコントローラ）を設けることが必要となる。そして、複数台のコードレス電話子機を親機と接続するコードレス電話装置においては、各コードレス電話子機に新たにＨＤＣを設けることが必要となり、コストアップとなる。
【０００８】
また、特許文献１の外部保存装置をパーソナルコンピュータや携帯電話機とした場合、それらの機器で録音し保存した音声データは、ＭＰ３（MPEG Audio Layer-3）やＷＡＶフォーマット等の音声フォーマットであり、コードレス電話子機のＣＯＤＥＣは、当該音声データをそのまま再生することができない。コードレス電話子機では、一般的には、Ｇ．７２２規格、Ｇ．７１１規格等のＰＣＭデータ形式のデジタル音声データをアナログ音声に変換するＣＯＤＥＣが使用されているため、コードレス電話子機にＭＰ３や、ＷＡＶフォーマットの音声データを送った場合、コードレス電話子機にて、当該音声データのフォーマットを使用ＣＯＤＥＣで再生できるように変換する必要がある。この変換処理の実行は、各コードレス電話子機の処理能力低下や、コストアップを招く要因となる。
【０００９】
また、特許文献２に記載の電話機システムでも、コードレス電話子機と携帯電話機を直接通信する為のインタフェース手段を具備する必要がある。また、携帯電話機の電話帳データ等には電話番号や名前情報等のテキストデータ以外に、昨今の携帯電話機の高精度な液晶ディスプレイの能力に合わせて作成された顔写真等の大容量の画像データが含まれており、携帯電話機と異なる液晶デバイスを具備したコードレス電話子機では、そのままの画像データを表示することができない。高画質の携帯電話機では、ＳＶＧＡ（８００×６００ピクセル）、ＸＧＡ（１０２４×７６８ピクセル）の画像データ（ＪＰＥＧ等）が使用されている。一方、一般的なコードレス電話子機では、ＱＶＧＡ（３２０×２４０ピクセル）、ＶＧＡ（６４０×４８０ピクセル）が使用されている。このため、コードレス電話子機に携帯電話機に保存されている画像データを送った場合、コードレス電話子機にて、液晶表示部に表示可能なサイズに画像データをリサイズする必要がある。この変換処理の実行は、各コードレス電話子機の処理能力低下や、コストアップを招く要因となる。
【００１０】
本発明の目的は、コードレス電話子機に新たな機器を設けること無く、携帯電話機に保存されている各種データを、コードレス電話子機で利用可能な状態でコードレス電話子機に保存させることができる無線ＩＰ端末を提供することである。
【課題を解決するための手段】
【００１１】
本発明の一態様に係る無線ＩＰ端末は、少なくとも１台以上の子機とその親機から成るコードレス電話装置と、無線ＬＡＮを介して前記親機と無線接続する無線ＩＰ端末と、から成るコードレス電話システムにおいて、前記親機を介して前記子機へ画像データまたは音楽データを含む子機転送データを送信する無線ＩＰ端末であって、前記親機との間でパケットデータを送受信する無線ＬＡＮインタフェース部と、記憶部に記憶されたデータの中から前記子機に転送する子機転送データを選択する子機転送データ選択部と、前記子機転送データの転送先となる少なくとも１台の子機を選択する転送先子機選択部と、前記子機転送データを、前記子機転送データ選択部にて選択した前記子機転送データのデータ種別に応じて、前記転送先子機で利用可能なデータフォーマットに変換する子機転送データ変換部と、前記子機転送データ変換部で変換された子機転送データを、前記転送先子機選択部で選択された子機の番号を示す転送先子機情報を含むように編集し、前記親機に送信することによって、前記親機に前記子機転送データの前記子機への転送を指示する子機データ送信部と、を具備する構成を採る。
【発明の効果】
【００１２】
本発明によれば、コードレス電話親機あるいは携帯電話機において、各種データに対して所定の変換処理を実行することにより、コードレス電話子機に新たな機器を設けること無く、携帯電話機に保存されている各種データを、コードレス電話子機で利用可能な状態でコードレス電話子機に保存させることができる。
【図面の簡単な説明】
【００１３】
【図１】本発明の一実施の形態に係るコードレス電話システムの構成を示す模式図
【図２】図１に示したコードレス電話親機の構成を示すブロック図
【図３】子機情報テーブルの一例を示す図
【図４】図１に示したコードレス電話子機の構成を示すブロック図
【図５】図１に示した携帯電話機（無線ＩＰ端末）の構成を示すブロック図
【図６】図５に示した携帯電話機の処理手順を示すフロー図
【図７】図２に示したコードレス電話親機の処理手順を示すフロー図
【図８】図４に示したコードレス電話子機の処理手順を示すフロー図
【図９】携帯電話機の他の構成を示すブロック図
【図１０】図９に示した携帯電話機の処理手順を示すフロー図
【発明を実施するための形態】
【００１４】
以下、本発明の実施の形態について、図面を参照して詳細に説明する。
【００１５】
（一実施の形態）
図１は、本発明の一実施の形態に係るコードレス電話システムの構成を示す模式図である。以下、図１を用いて、コードレス電話システムの構成について説明する。なお、以下の説明において、無線ＩＰ端末の一例としてスマートホンを含む携帯電話機を挙げるが、本発明はこれに限定するものではない。
【００１６】
図１では、宅内にコードレス電話親機１０が設けられ、コードレス電話親機１０は、アクセスポイント２０を介して、インターネットに接続しており、一方で、固定電話網に接続している。また、宅内には、コードレス電話親機１０と接続するコードレス電話子機（ＣＤＬ子機）３０−１、３０−２と、コードレス電話親機１０、携帯電話網及び無線ＬＡＮに接続する携帯電話機４０−１、４０−２が存在するものとする。また、宅外には、携帯電話機４０−１、４０−２と同様の機能を有する携帯電話機４０−３が存在するものとする。なお、特定のコードレス電話子機を区別しない場合には、コードレス電話子機３０と総称し、また、特定の携帯電話機を区別しない場合には、携帯電話機４０と総称する。携帯電話機４０は、コードレス電話親機１０と無線ＬＡＮにて接続するものとする。
【００１７】
図１では、コードレス電話子機３０がコードレス電話親機１０を介して、固定電話網及び携帯電話機４０に接続可能であり、また、携帯電話機４０がコードレス電話親機１０を介して、コードレス電話子機３０、固定電話網、アクセスポイント２０に接続可能である。
【００１８】
図１では、子機と親機との間の無線通信方式にＤＥＣＴ（Digital Enhanced Cordless Telecommunications）方式を採用したコードレス電話子機３０であって、コードレス電話子機３０は、コードレス電話親機１０を介して、固定電話網及び携帯電話機に接続可能である。また、携帯電話機４０は、コードレス電話親機１０を介して、コードレス電話子機３０、固定電話網、アクセスポイント２０（インターネット）に接続可能である。
【００１９】
図２は、図１に示したコードレス電話親機１０の構成を示すブロック図である。以下、図２を用いて、コードレス電話親機１０の構成について説明する。
【００２０】
ＮＣＵ（Network Control Unit）及びモデム部１０１は、発呼時の公衆回線との接続および公衆回線からの着呼検出などの電話回線の制御を行う回線制御回路（ＮＣＵ）と、着信時に公衆回線からの発信者番号情報を受信するモデム部である。
【００２１】
ＴＡＭ（Telephone Answering Machine）部１０２は、留守番電話メッセージを記憶し、メッセージの録音及び再生を行う。
【００２２】
記憶部１０３は、コードレス電話装置の各種設定データ、電話帳データ、発着信履歴情報、ＳＭＳメッセージ等の子機の通信履歴を含む子機付加情報を記憶する。なお、コードレス電話装置では、コードレス電話子機３０毎に電話帳データを設ける場合と、全てのコードレス電話子機３０において共通に使用される電話帳データを設ける場合とがある。コードレス電話親機１０は、コードレス電話子機３０毎に設けられた電話帳データ、および、全てのコードレス電話子機３０において共通に使用される電話帳データの少なくとも一方を記憶、管理している。
【００２３】
また、記憶部１０３は、図３に示すような子機情報テーブルを記憶する。子機情報テーブルでは、各コードレス電話子機３０のＩＤ（子機Ａから子機Ｆ）と、各コードレス電話子機３０の接続状態（接続／切断状態）、子機番号（子機内線番号）、画像サイズおよび使用ＣＯＤＥＣ等とが対応付けられている。なお、コードレス電話親機１０は、各コードレス電話子機３０との接続時に、画像サイズおよび使用ＣＯＤＥＣを含む子機タイプ情報を取得するようにしても良いし、システム固定の子機で使用する画像サイズや使用ＣＯＤＥＣを一意的に使用しても良い。
【００２４】
音声入出力部１０４は、マイク、スピーカーとＣＯＤＥＣから構成され、着信音の出力、通話音声の入力出力を行う。
【００２５】
操作部１０５は、ユーザが操作を行うダイヤル、各種機能ボタンから構成され、ＬＣＤ（Liquid Crystal Display）部１０６は、各種情報を表示する。
【００２６】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００２７】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式等）に従った発呼、着呼等のプロトコル制御を行う。なお、以下の説明では、コードレス電話子機３０との間の制御プロトコルにＤＥＣＴ方式を採用するものとする。
【００２８】
無線ＬＡＮ Ｉ／Ｆ部１０９は、ＩＥＥＥ８０２．１１、Ｂｌｕｅｔｏｏｔｈ（登録商標）等の無線ＬＡＮプロトコル制御を行い、携帯電話機４０との無線データの送受信を行う。
【００２９】
親機制御部１１０は、コードレス電話親機１０全体を制御する。具体的には、親機制御部１１０は、親機制御部１１０周辺の各部から発生したイベント、メッセージを受信及び解析し、発着信呼の状態及び呼接続を制御し、各部に指示する。親機制御部１１０は、呼制御部１２１、子機転送データ受信部１２２、転送先子機決定部１２３、子機転送データ変換部１２４および子機転送データ送信部１２５を有する。
【００３０】
呼制御部１２１は、ＮＣＵ及びモデム部１０１及びコードレス電話子機制御部１０８から受信したイベント、及び、各種メッセージを処理する。
【００３１】
子機転送データ受信部１２２は、無線ＬＡＮ Ｉ／Ｆ部１０９を介して、携帯電話機４０からの子機転送データを受信し、記憶部１０３に記憶させる。
【００３２】
転送先子機決定部１２３は、記憶部１０３に記憶された子機転送データから転送先子機情報を取り出し、当該転送先子機情報に設定された転送先子機番号に基づいて当該子機転送データの転送先のコードレス電話子機３０を選択する。
【００３３】
子機転送データ変換部１２４は、記憶部１０３に記憶された子機転送データの種別に応じて所定の変換処理を実行する。具体的には、子機転送データが着信音データである場合、子機転送データ変換部１２４は、着信音データの音声フォーマットをコードレス電話子機３０の使用ＣＯＤＥＣに合わせて変換する。また、子機転送データが壁紙データである場合、子機転送データ変換部１２４は、壁紙データの画像サイズをコードレス電話子機３０において再生できるものに変換する。また、子機転送データが電話帳データである場合、子機転送データ変換部１２４は、電話帳データに含まれる相手画像データの画像サイズをコードレス電話子機３０において再生できるものに変換する。
【００３４】
子機転送データ送信部１２５は、コードレス電話子機無線Ｉ／Ｆ部１０７を介して、転送先子機決定部１２３により選択されたコードレス電話子機３０に、子機転送データ変換部１２４によって変換処理が実行された子機転送データを送信する。また、子機転送データ送信部１２５は、変換処理を実行できなかった旨を示す信号、あるいは、変換処理を実行した旨を示す信号を携帯電話機４０に通知する。
【００３５】
図４は、図１に示したコードレス電話子機３０の構成を示すブロック図である。以下、図４を用いて、コードレス電話子機３０の構成について説明する。
【００３６】
記憶部１３１は、着信音データ、壁紙データ、電話帳データ等のコードレス電話子機３０で使用する各種データを所定の記憶エリアに記憶する。
【００３７】
音声入出力部１３２は、マイク、スピーカーとＣＯＤＥＣから構成され、着信音の出力、通話音声の入力出力を行う。
【００３８】
操作部１３３は、ユーザが操作を行うダイヤル、各種機能ボタンから構成され、ＬＣＤ（Liquid Crystal Display）部１３４は、各種情報を表示する。
【００３９】
コードレス電話親機無線Ｉ／Ｆ部１３５は、コードレス電話親機１０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００４０】
コードレス電話親機制御部１３６は、コードレス電話親機１０との間で制御データを送受信し、コードレス電話親機１０との間の制御プロトコル（例えば、ＤＥＣＴプロトコル方式、ＰＨＳプロトコル方式等）に従った発呼、着呼等のプロトコル制御を行う。
【００４１】
子機制御部１３７は、コードレス電話子機３０全体を制御する。具体的には、子機制御部１３７は、子機制御部１３７周辺の各部から発生したイベント、メッセージを受信及び解析し、発着信呼の状態及び呼接続を制御し、各部に指示する。子機制御部１３７は、呼制御部１３８および子機転送データ受信部１３９を有する。
【００４２】
呼制御部１３８は、コードレス電話親機制御部１３６から受信したイベント、及び、各種メッセージを処理する。
【００４３】
子機転送データ受信部１３９は、コードレス電話親機無線Ｉ／Ｆ部１３５を介して、コードレス電話親機１０からの子機転送データを受信し、子機転送データの種別に応じた記憶部１３１の記憶エリアに、子機転送データを記憶させる。
【００４４】
図５は、図１に示した携帯電話機４０の構成を示すブロック図である。以下、図５を用いて、携帯電話機４０の構成について説明する。
【００４５】
セルラー無線Ｉ／Ｆ部１４１は、携帯電話用アンテナを介して携帯電話基地局との無線データ送受信を行う。
【００４６】
記憶部１４２は、携帯電話機４０の各種設定データ、電話帳データ、発着信履歴情報、ＳＭＳメッセージ、各種画像データ（壁紙データを含む）、音楽データ（着信音データを含む）等の情報を記憶する。
【００４７】
音声入出力部１４３は、マイク、スピーカーから構成され、着信音の出力、通話音声の入力出力を行う。
【００４８】
操作部１４４は、ユーザが操作を行うダイヤル、各種機能ボタンから構成され、ＬＣＤ部１４５は、各種情報を表示する。また、スマートホン等のタッチパネルにて、操作部１４４とＬＣＤ部１４５を構成しても良い。
【００４９】
無線ＬＡＮ Ｉ／Ｆ部１４６は、ＩＥＥＥ８０２．１１、Ｂｌｕｅｔｏｏｔｈ（登録商標）等の無線ＬＡＮプロトコル制御を行い、コードレス電話親機１０との無線データの送受信を行う。
【００５０】
外部メモリＩ／Ｆ部１４７は、ＳＤカード等の外部メモリを装着可能な形状を有し、装着された外部メモリとの間でデータの読み出し／書き込みを行う。
【００５１】
端末制御部１４８は、携帯電話機４０全体を制御する。具体的には、端末制御部１４８は、端末制御部１４８周辺の各部から発生したイベント、メッセージを受信及び解析し、発着信呼の状態及び呼接続を制御し、各部に指示する。端末制御部１４８は、セルラー電話制御部１５１、Ｗｅｂブラウザ制御部１５２、子機転送データ選択部１５３、転送先子機選択部１５４および子機転送データ送信部１５５を有する。
【００５２】
セルラー電話制御部１５１は、セルラー無線Ｉ／Ｆ部１４１から受信した呼制御メッセージを処理する。
【００５３】
Ｗｅｂブラウザ制御部１５２は、セルラー無線Ｉ／Ｆ部１４１、若しくは、無線ＬＡＮ Ｉ／Ｆ部１４６を介して、インターネットからＨＴＭＬファイル、画像ファイル、音楽ファイル等をダウンロードし、Ｗｅｂ画面レイアウトを解析して表示・再生する制御を行う。
【００５４】
子機転送データ選択部１５３は、ユーザの操作部１４４（ＬＣＤ部１４５含む）からの操作に基づいて、記憶部１４２に記憶されたデータ群の中からコードレス電話子機３０に転送するデータを選択し、子機転送データ送信部１５５に出力する。
【００５５】
転送先子機選択部１５４は、ユーザの操作部１４４（ＬＣＤ部１４５含む）からの操作に基づいて、データの転送先のコードレス電話子機３０を選択し、子機転送データ送信部１５５に出力する。なお、転送先子機選択部１５４は、１台、若しくは複数台のコードレス電話子機３０を選択することができる。
【００５６】
子機転送データ送信部１５５は、転送先子機選択部１５４から出力されたデータ（子機転送データ）を編集する。具体的には、子機転送データ送信部１５５は、子機転送データのヘッダ部を生成し、ヘッダ部の子機転送データメッセージの転送先子機情報に、子機転送データ選択部１５３で選択されたコードレス電話子機３０を示す転送先子機番号を設定する。そして、子機転送データ送信部１５５は、編集後の子機転送データを無線ＬＡＮ Ｉ／Ｆ部１４６を介してコードレス電話親機１０に送信する。
【００５７】
次に、携帯電話機４０に保持されている各種データ（電話帳データ、壁紙データ、着信音データ）を、コードレス電話子機３０に、コードレス電話子機３０で利用可能な状態で保存させるまでの処理手順について、図６から図８を用いて説明する。
【００５８】
図６は、携帯電話機４０の処理手順を示すフロー図である。まず、ＳＴ２０１において、子機転送データ選択部１５３は、ユーザの操作部１４４（ＬＣＤ部１４５含む）からの操作に基づいて、記憶部１４２に記憶された各種データ群（電話帳データ、壁紙データ、着信音データ等）の中からコードレス電話子機３０に転送するデータ（子機転送データ）を選択する。
【００５９】
次に、ＳＴ２０２において、転送先子機選択部１５４は、ユーザの操作部１４４（ＬＣＤ部１４５含む）からの操作に基づいて、データの転送先のコードレス電話子機３０を選択する。なお、転送先子機選択部１５４は、複数台のコードレス電話子機３０を選択することができる。
【００６０】
次に、ＳＴ２０３において、子機転送データ送信部１５５は、転送先子機選択部１５４から出力された子機転送データを編集し、無線ＬＡＮ Ｉ／Ｆ部１４６を介してコードレス電話親機１０に送信する。当該編集では、子機転送データ送信部１５５は、子機転送データのヘッダ部に転送データ種別（電話帳データ、壁紙データ、着信音データ）と子機転送データ選択部１５３で選択されたコードレス電話子機３０を示す転送先子機番号を設定し、転送データ本体部（着信音データ部、画像データ部、電話帳データ部）を編集する。
【００６１】
図７は、コードレス電話親機１０の処理手順を示すフロー図である。まず、ＳＴ３０１において、子機転送データ受信部１２２は、無線ＬＡＮ Ｉ／Ｆ部１０９を介して、携帯電話機４０からの子機転送データを受信し、記憶部１０３に記憶させる。
【００６２】
次に、ＳＴ３０２において、転送先子機決定部１２３は、記憶部１０３に記憶された子機転送データから転送先子機情報を取り出し、当該転送先子機情報に設定された転送先子機番号に基づいて当該子機転送データの転送先のコードレス電話子機３０を選択する。
【００６３】
次に、ＳＴ３０３からＳＴ３１０において、子機転送データ変換部１２４は、子機転送データの種別に応じて所定の変換処理を実行する。
【００６４】
具体的には、まず、ＳＴ３０３において、子機転送データ変換部１２４は、記憶部１０３に記憶された子機転送データの種別を判定する。
【００６５】
そして、子機転送データが着信音データであった場合（ＳＴ３０３：「着信音データ」）、ＳＴ３０４において、子機転送データ変換部１２４は、子機転送データが、コードレス電話子機３０においてフォーマット変換が可能な着信音データであるか否かを判定する。例えば、子機転送データ変換部１２４は、子機転送データの着信音データ部の音声フォーマットが、ＭＰ３（MPEG Audio Layer-3）あるいはＷＡＶフォーマットである場合にはフォーマット変換が可能であると判定し、その他の音声フォーマットである場合にはフォーマット変換が不可能であると判定する。
【００６６】
フォーマット変換が可能である場合（ＳＴ３０４：ＹＥＳ）、ＳＴ３０５において、子機転送データ変換部１２４は、子機転送データ（着信音データ）の音声フォーマットをコードレス電話子機３０の使用ＣＯＤＥＣに合わせて変換する。例えば、Ｇ．７２２で再生できるようにＭＰ３からフォーマット変換を行う。その後、フローは、ＳＴ３１２に進む。
【００６７】
一方、フォーマット変換が不可能である場合（ＳＴ３０４：ＮＯ）、ＳＴ３０６において、子機転送データ送信部１２５は、変換処理を実行できなかった旨を示す信号を携帯電話機４０に通知して処理を終了する。
【００６８】
また、子機転送データが壁紙データであった場合（ＳＴ３０３：「壁紙データ」）、ＳＴ３０７において、子機転送データ変換部１２４は、子機転送データの画像データヘッダ部（ＪＰＥＧヘッダー部等）から画像サイズ情報を取得する。そして、ＳＴ３０８において、子機転送データ変換部１２４は、子機転送データ（壁紙データ）の画像サイズをコードレス電話子機３０において再生できるものに変換する。例えば、携帯電話機４０から送られてきた画像データのサイズ情報がＸＧＡ（１０２４×７６８ピクセル）サイズで、子機３０で表示可能なサイズがＱＶＧＡ（３２０×２４０ピクセル）サイズであれば、ＸＧＡからＱＶＧＡサイズへの画像サイズ変換処理が行われる。その後、フローは、ＳＴ３１２に進む。
【００６９】
また、子機転送データが電話帳データであった場合（ＳＴ３０３：「電話帳データ」）、ＳＴ３０９において、子機転送データ変換部１２４は、子機転送データのヘッダ部から相手画像データの画像サイズ情報を取得する。そして、ＳＴ３１０において、子機転送データ変換部１２４は、上述の壁紙データと同様に子機転送データの相手画像データの画像サイズをコードレス電話子機３０において再生できるものに変換する。
【００７０】
次に、ＳＴ３１１において、子機転送データ送信部１２５は、子機転送データ変換部１２４によって変換処理が実行された子機転送データ（電話帳データ）を記憶部１０３に記憶させる。その後、フローは、ＳＴ３１２に進む。
【００７１】
ＳＴ３０５、ＳＴ３０８あるいはＳＴ３１１の処理の後、ＳＴ３１２において、子機転送データ送信部１２５は、コードレス電話子機無線Ｉ／Ｆ部１０７を介して、転送先子機決定部１２３により選択されたコードレス電話子機３０に、子機転送データ変換部１２４によって変換処理が実行された子機転送データを送信する。なお、複数台のコードレス電話子機３０が選択されている場合、選択された全てのコードレス電話子機３０に対して、ＳＴ３１２の処理が繰り返される（ＳＴ３１３：ＮＯ）。
【００７２】
ＳＴ３１２、ＳＴ３１３の処理が完了した後（ＳＴ３１３：ＹＥＳ）、ＳＴ３１４において、子機転送データ送信部１２５は、変換処理を実行した旨を示す信号を携帯電話機４０に通知して処理を終了する。
【００７３】
図８は、コードレス電話子機３０の処理手順を示すフロー図である。まず、ＳＴ４０１において、子機転送データ受信部１３９は、コードレス電話親機無線Ｉ／Ｆ部１３５を介して、コードレス電話親機１０からの子機転送データを受信する。
【００７４】
次に、ＳＴ４０２において、子機転送データ受信部１３９は、子機転送データの種別に応じた記憶部１３１の記憶エリアに、子機転送データを記憶させる。
【００７５】
なお、上記の説明では、コードレス電話親機１０において子機転送データに対する変換処理を実行する場合について説明したが、本発明はこれに限られず、携帯電話機４０において子機転送データに対する変換処理を実行しても良い。また、上記の説明では、着信音データに対する選択、変換処理について説明したが、本発明では、コードレス電話子機３０で使用する保留音データや留守番電話のガイダンスメッセージ等の音源データに対しても、着信音データと同様の処理を行うことができる。
【００７６】
図９は、この場合における携帯電話機４０Ａの構成を示すブロック図である。図９に示す携帯電話機４０Ａは、図５に示した携帯電話機４０に対して、子機転送データ変換部１５６を追加した構成を採る。なお、この場合、図２に示したコードレス電話親機１０の構成から、子機転送データ変換部１２４が削除される。
【００７７】
子機転送データ変換部１５６は、記憶部１４２に記憶された子機転送データの種別に応じて所定の変換処理を実行する。具体的には、子機転送データが着信音データである場合、子機転送データ変換部１５６は、着信音データの音声フォーマットをコードレス電話子機３０の使用ＣＯＤＥＣに合わせて変換する。また、子機転送データが壁紙データである場合、子機転送データ変換部１５６は、壁紙データの画像サイズをコードレス電話子機３０において再生できるものに変換する。また、子機転送データが電話帳データである場合、子機転送データ変換部１５６は、子機転送データの相手画像データの画像サイズをコードレス電話子機３０において再生できるものに変換する。
【００７８】
図１０は、携帯電話機４０Ａの処理手順を示すフロー図である。図１０のフロー図では、図６のフロー図に対して、ＳＴ２０２とＳＴ２０３との間に、ＳＴ２５１からＳＴ２５９が追加される。なお、この場合、図７に示したコードレス電話親機１０の処理工程から、ＳＴ３０３からＳＴ３１０が削除される。
【００７９】
ＳＴ２０２の後、ＳＴ２５１からＳＴ２５８において、子機転送データ変換部１５６は、子機転送データの種別に応じて所定の変換処理を実行する。
【００８０】
具体的には、ＳＴ２５１において、子機転送データ変換部１５６は、記憶部１４２に記憶された子機転送データの種別を判定する。
【００８１】
そして、子機転送データが着信音データであった場合（ＳＴ２５１：「着信音データ」）、ＳＴ２５２において、子機転送データ変換部１５６は、子機転送データが、コードレス電話子機３０においてフォーマット変換が可能な着信音データであるか否かを判定する。
【００８２】
フォーマット変換が可能である場合（ＳＴ２５２：ＹＥＳ）、ＳＴ２５３において、子機転送データ変換部１５６は、子機転送データ（着信音データ）の音声フォーマットをコードレス電話子機３０の使用ＣＯＤＥＣに合わせて変換する。その後、フローは、ＳＴ２０３に進む。一方、フォーマット変換が不可能である場合（ＳＴ２５２：ＮＯ）、子機転送データ変換部１５６は処理を終了する。
【００８３】
また、子機転送データが壁紙データであった場合（ＳＴ２５１：「壁紙データ」）、ＳＴ２５４において、子機転送データ変換部１５６は、壁紙データを表示し、必要に応じてトリミング等の加工処理を行う。次に、ＳＴ２５５において、子機転送データ変換部１５６は、子機転送データのヘッダ部から画像サイズ情報を取得する。そして、ＳＴ２５６において、子機転送データ変換部１５６は、子機転送データ（壁紙データ）の画像サイズをコードレス電話子機３０において再生できるものに変換する。その後、フローは、ＳＴ２０３に進む。
【００８４】
また、子機転送データが電話帳データであった場合（ＳＴ２５１：「電話帳データ」）、ＳＴ２５７において、子機転送データ変換部１５６は、子機転送データのヘッダ部から相手画像データの画像サイズ情報を取得する。そして、ＳＴ２５８において、子機転送データ変換部１５６は、子機転送データの相手画像データの画像サイズをコードレス電話子機３０において再生できるものに変換する。その後、フローは、ＳＴ２０３に進む。
【００８５】
このように、本実施の形態では、コードレス電話親機１０あるいは携帯電話機４０において、各種データに対して所定の変換処理を実行する。これにより、コードレス電話子機３０に新たな機器を設けること無く、携帯電話機４０に保存されている各種データ（子機転送データ）を、コードレス電話子機３０で利用可能な状態でコードレス電話子機３０に保存させることができる。
【００８６】
また、上記の説明では、コードレス電話親機１０あるいは携帯電話機４０のいずれか一方のみが、子機転送データの変換処理を行う場合について説明したが、本発明はこれに限られず、一部の種類の子機転送データについてはコードレス電話親機１０において変換処理を行い、他の種類の子機転送データについては携帯電話機４０において変換処理を行うように、変換処理機能を分散することもできる。例えば、データ容量が小さく処理負荷が軽い着信音データの変換処理をコードレス電話親機１０で行い、データ容量が大きく処理負荷が重い画像データの変換処理を携帯電話機４０で行う。
【００８７】
そして、子機転送データに着信音データが含まれている場合、コードレス電話子機３０は、使用ＣＯＤＥＣを用いて当該着信音データをそのまま再生することができる。また、子機転送データに壁紙データが含まれている場合、コードレス電話子機３０は、当該壁紙データをそのまま液晶表示部に表示させることができる。また、子機転送データに電話帳データが含まれている場合、コードレス電話子機３０は、当該電話帳データに含まれる電話番号情報に対応する相手画像データをそのまま液晶表示部に表示させることができる。また、コードレス電話親機１０は、当該電話帳データを記憶部に記憶させることにより、自機が管理する電話帳データとして利用することができる。
【産業上の利用可能性】
【００８８】
本発明にかかる無線ＩＰ端末は、コードレス電話子機に新たな機器を設けること無く、携帯電話機に保存されている各種データを、コードレス電話子機で利用可能な状態でコードレス電話子機に保存させるのに有用である。
【符号の説明】
【００８９】
１０  コードレス電話親機
２０  アクセスポイント
３０  コードレス電話子機
４０、４０Ａ  携帯電話機
１０１  ＮＣＵ及びモデム部
１０２  ＴＡＭ部
１０３、１３１、１４２  記憶部
１０４、１３２、１４３  音声入出力部
１０５、１３３、１４４  操作部
１０６、１３４、１４５  ＬＣＤ部
１０７  コードレス電話子機無線Ｉ／Ｆ部
１０８  コードレス電話子機制御部
１０９、１４６  無線ＬＡＮ Ｉ／Ｆ部
１１０  親機制御部
１２１、１３８  呼制御部
１２２、１３９  子機転送データ受信部
１２３  転送先子機決定部
１２４、１５６  子機転送データ変換部
１２５  子機転送データ送信部
１３５  コードレス電話親機無線Ｉ／Ｆ部
１３６  コードレス電話親機制御部
１３７  子機制御部
１４７  外部メモリＩ／Ｆ部
１４８  端末制御部
１５１  セルラー電話制御部
１５２  Ｗｅｂブラウザ制御部
１５３  子機転送データ選択部
１５４  転送先子機選択部
１５５  子機転送データ送信部
【要約】
【課題】コードレス電話子機に新たな機器を設けること無く、携帯電話機に保存されている各種データを、コードレス電話子機で利用可能な状態でコードレス電話子機に保存させること。
【解決手段】子機転送データ変換部１２４は、記憶部１０３に保存された子機転送データの種別に応じて所定の変換処理を実行する。具体的には、子機転送データ変換部１２４は、着信音データの音声フォーマットをコードレス電話子機の使用ＣＯＤＥＣに合わせて変換する。また、子機転送データ変換部１２４は、壁紙データの画像サイズをコードレス電話子機において再生できるものに変換する。また、子機転送データ変換部１２４は、電話帳データに含まれる相手画像データの画像サイズをコードレス電話子機において再生できるものに変換する。
【選択図】図２【図１】
0005537720.tif 000002
【図２】
0005537720.tif 000003
【図３】
0005537720.tif 000004
【図４】
0005537720.tif 000005
【図５】
0005537720.tif 000006
【図６】
0005537720.tif 000007
【図７】
0005537720.tif 000008
【図８】
0005537720.tif 000009
【図９】
0005537720.tif 000010
【図１０】
0005537720.tif 000011